(57)【要約】      （修正有）【課題】筐体の状態遷移を条件として、容易に所望の処理を実行することが可能な電子機器及びその制御方法を提供する。【解決手段】携帯情報端末１で、第１筐体１０及び第２筐体２０が開状態（ａ）のときに、第１キー２２１、第２キー２２２及び発信キー２２３により文字列を入力する。第１筐体１０及び第２筐体２０が、開状態から閉状態（ｂ）に遷移したときに、入力した文字列に基づいて検索対象に対する検索を実行し、検索結果を表示部１２に表示する。【選択図】図１
2011097236.tif 000002
【特許請求の範囲】
【請求項１】
表示部を有する第１筐体と、
数字列又は文字列の少なくともいずれか一方を入力するための入力操作部を有し、前記第１筐体と開閉可能に連結される第２筐体と、
前記表示部及び前記入力操作部が外部に露出する開状態において、前記入力操作部により前記文字列が入力され、前記第１筐体及び前記第２筐体を前記開状態から、前記表示部が外部に露出し、かつ、前記入力操作部が前記第１筐体により覆われる閉状態に遷移した場合、入力された前記文字列に基づいて検索対象に対する検索を実行し、実行された検索の結果を前記表示部に表示させる制御部とを備えることを特徴とする電子機器。
【請求項２】
前記第１筐体又は前記第２筐体の少なくともいずれか一方に配置され、前記閉状態において外部に露出する選択操作部を備え、
前記制御部は、前記表示部に前記検索の結果として表示される複数の項目のうち一つの項目を前記選択操作部の操作に応じて選択することを特徴とする請求項１に記載の電子機器。
【請求項３】
名称とアドレス情報とが一の登録レコードとして対応付けられており、複数の登録レコードにより構成されるアドレス帳を記憶する記憶部を備え、
前記制御部は、入力された前記文字列に基づいて前記検索対象に対する検索として前記アドレス帳の中から前記名称に対する検索を実行し、当該名称が検索できた場合には、当該検索の結果を前記表示部に表示させた後に、前記名称に対応付けられた前記アドレス情報に基づいて発呼を行うことを特徴とする請求項１又は２に記載の電子機器。
【請求項４】
前記アドレス帳には、前記複数の登録レコードに登録番号が対応付けられて記憶され、
前記制御部は、前記開状態において、前記入力操作部により前記数字列が入力され、前記第１筐体及び前記第２筐体を前記開状態から前記閉状態に遷移した場合、入力された前記数字列と前記アドレス帳に記憶されている前記登録番号とが一致するか否か判定し、入力された前記数字列と前記アドレス帳に記憶されている前記登録番号とが一致すると判定した場合には、当該登録番号に対応付けられた前記アドレス情報に基づいて発呼を行うことを特徴とする請求項３に記載の電子機器。
【請求項５】
前記制御部は、初期画面を前記表示部に表示させている状態において、前記開状態において、前記入力操作部の文字及び数字が割り当てられているキーが操作されて前記文字列及び前記数字列が共に入力され、前記第１筐体及び前記第２筐体を前記開状態から前記閉状態に遷移した場合、入力された前記文字列に基づいて前記検索対象に対する検索として前記アドレス帳の中から前記名称に対する検索を実行し、当該名称が検索できなかった場合には、入力された前記数字列に基づいて発呼を行うことを特徴とする請求項３又は４に記載の電子機器。
【請求項６】
前記検索対象は、複数の検索対象で構成され、
前記複数の検索対象について優先順位を設定可能な検索設定部を備え、
前記制御部は、前記検索設定部により設定された前記優先順位及び前記入力操作部により入力された前記文字列に基づいて前記複数の検索対象のうち一の検索対象に対して検索を実行し、当該一の検索対象において前記文字列が検索できなかった場合に、前記検索設定部により設定された前記優先順位及び前記入力操作部により入力された前記文字列に基づいて前記複数の検索対象のうち他の検索対象に対して検索を実行することを特徴とする請求項１から５のいずれか１項に記載の電子機器。
【請求項７】
表示部を有する第１筐体と、数字列又は文字列の少なくともいずれか一方を入力するための入力操作部を有し、前記第１筐体と開閉可能に連結される第２筐体とを備える電子機器の制御方法であって、
前記表示部及び前記入力操作部が外部に露出する開状態において、前記入力操作部により前記文字列が入力され、前記開状態から、前記表示部が外部に露出し、かつ、前記入力操作部が前記第１筐体により覆われる閉状態に遷移した場合、入力された前記文字列に基づいて検索対象に対して検索を実行する工程と、
前記検索の結果を前記表示部に表示させる工程とを備えることを特徴とする電子機器の制御方法。
【発明の詳細な説明】
【技術分野】
【０００１】
本発明は、文字を入力可能なアプリケーションを備える電子機器及びその制御方法に関する。
【背景技術】
【０００２】
従来より、第１筐体と第２筐体とが開閉可能に連結される携帯端末において、第１筐体及び第２筐体の開閉状態を検出する検出部と、所望のアドレス帳を選択させる操作部と、操作部により選択されたアドレス帳を表示する表示部と、検出部により開閉状態の変化を検出することにより表示部に表示されているアドレス帳に基づいた発呼処理を自動的に実行する制御部とを備える携帯端末が提案されている（例えば、特許文献１参照）。
【先行技術文献】
【特許文献】
【０００３】
【特許文献１】特開２００５−３１１６６８号公報
【発明の概要】
【発明が解決しようとする課題】
【０００４】
しかし、特許文献１に記載の携帯電話機において、開閉状態の変化を検出することにより自動的に発信処理を実行するためには、予め操作部により複数のアドレス帳の中から所望のアドレス帳を選択しておく必要があった。
【０００５】
そこで、本発明は、筐体の状態遷移を条件として、容易に所望の処理を実行することが可能な電子機器及びその制御方法を提供することを目的とする。
【課題を解決するための手段】
【０００６】
本発明に係る電子機器は、上記課題を解決するために、表示部を有する第１筐体と、数字列又は文字列の少なくともいずれか一方を入力するための入力操作部を有し、前記第１筐体と開閉可能に連結される第２筐体と、前記表示部及び前記入力操作部が外部に露出する開状態において、前記入力操作部により前記文字列が入力され、前記第１筐体及び前記第２筐体を前記開状態から、前記表示部が外部に露出し、かつ、前記入力操作部が前記第１筐体により覆われる閉状態に遷移した場合、入力された前記文字列に基づいて検索対象に対する検索を実行し、実行された検索の結果を前記表示部に表示させる制御部とを備えることを特徴とする。
【０００７】
また、前記電子機器は、前記第１筐体又は前記第２筐体の少なくともいずれか一方に配置され、前記閉状態において外部に露出する選択操作部を備え、前記制御部は、前記表示部に前記検索の結果として表示される複数の項目のうち一つの項目を前記選択操作部の操作に応じて選択することが好ましい。
【０００８】
また、前記電子機器は、名称とアドレス情報とが一の登録レコードとして対応付けられており、複数の登録レコードにより構成されるアドレス帳を記憶する記憶部を備え、前記制御部は、入力された前記文字列に基づいて前記検索対象に対する検索として前記アドレス帳の中から前記名称に対する検索を実行し、当該名称が検索できた場合には、当該検索の結果を前記表示部に表示させた後に、前記名称に対応付けられた前記アドレス情報に基づいて発呼を行うことが好ましい。
【０００９】
また、前記アドレス帳には、前記複数の登録レコードに登録番号が対応付けられて記憶され、前記制御部は、前記開状態において、前記入力操作部により前記数字列が入力され、前記第１筐体及び前記第２筐体を前記開状態から前記閉状態に遷移した場合、入力された前記数字列と前記アドレス帳に記憶されている前記登録番号とが一致するか否か判定し、入力された前記数字列と前記アドレス帳に記憶されている前記登録番号とが一致すると判定した場合には、当該登録番号に対応付けられた前記アドレス情報に基づいて発呼を行うことが好ましい。
【００１０】
また、前記制御部は、初期画面を前記表示部に表示させている状態において、前記開状態において、前記入力操作部の文字及び数字が割り当てられているキーが操作されて前記文字列及び前記数字列が共に入力され、前記第１筐体及び前記第２筐体を前記開状態から前記閉状態に遷移した場合、入力された前記文字列に基づいて前記検索対象に対する検索として前記アドレス帳の中から前記名称に対する検索を実行し、当該名称が検索できなかった場合には、入力された前記数字列に基づいて発呼を行うことが好ましい。
【００１１】
また、前記検索対象は、複数の検索対象で構成され、前記複数の検索対象について優先順位を設定可能な検索設定部を備え、前記制御部は、前記検索設定部により設定された前記優先順位及び前記入力操作部により入力された前記文字列に基づいて前記複数の検索対象のうち一の検索対象に対して検索を実行し、当該一の検索対象において前記文字列が検索できなかった場合には、前記検索設定部により設定された前記優先順位及び前記入力操作部により入力された前記文字列に基づいて前記複数の検索対象のうち他の検索対象に対して検索を実行することが好ましい。
【００１２】
本発明に係る電子機器の制御方法は、上記課題を解決するために、表示部を有する第１筐体と、数字列又は文字列の少なくともいずれか一方を入力するための入力操作部を有し、前記第１筐体と開閉可能に連結される第２筐体とを備える電子機器の制御方法であって、前記表示部及び前記入力操作部が外部に露出する開状態において、前記入力操作部により前記文字列が入力され、前記開状態から、前記表示部が外部に露出し、かつ、前記入力操作部が前記第１筐体により覆われる閉状態に遷移した場合、入力された前記文字列に基づいて検索対象に対して検索を実行する工程と、前記検索の結果を前記表示部に表示させる工程とを備えることを特徴とする。
【発明の効果】
【００１３】
本発明によれば、筐体の状態遷移を条件として、容易に所望の処理を実行することが可能な電子機器及びその制御方法を提供することができる。
【図面の簡単な説明】
【００１４】
【図１】第１実施形態の携帯電話機の外観斜視図である。
【図２】第１実施形態の携帯電話機の機能構成を示すブロック図である。
【図３】記憶部に記憶されるアドレス帳の具体例を示す図である。
【図４】第１実施形態の制御部の動作により、表示部の表示内容の変化について示す図である。
【図５】制御部による処理について示すフローチャートである。
【図６】第２実施形態の携帯電話機の機能構成を示すブロック図である。
【図７】第２実施形態の携帯電話機の具体的な処理について示すフローチャートである。
【図８】検索処理について示すフローチャートである。
【図９】検索処理の他の例について示すフローチャートである。
【発明を実施するための形態】
【００１５】
＜第１実施形態＞
以下に、本発明を実施するための好ましい実施形態について、図面を参照しながら説明する。まず、本発明の携帯電子機器の第１実施形態に係る携帯電話機１の基本構造について、図１を参照しながら説明する。
【００１６】
図１は、第１実施形態に係る携帯電話機１の外観斜視図である。詳細には、図１（ａ）は、携帯電話機１の開状態を示す図であり、図１（ｂ）は、携帯電話機１の閉状態を示す図である。
【００１７】
携帯電話機１は、第１筐体１０と、第２筐体２０とを備える。
第１筐体１０には、その前面１１に、表示部１２が配置される。表示部１２は、所定の内部処理が実行されて、後述する操作部２２の操作に応じて、文字及び数字の少なくとも一方を表示する。また、表示部１２は、所定の内部処理が実行されて、通話の相手側の電話番号やメールアドレス、及びメールの内容等の各種情報（文字情報や画像情報）を表示する。
【００１８】
また、第１筐体１０には、その前面１１に、マイク１３及びレシーバ１４が配置される。マイク１３は、携帯電話機１の使用者が通話時に発した音声を入力するために用いられる。レシーバ１４は、通話の相手側の音声を出力する。
また、第１筐体１０には、その側面にスピーカ１５が配置される。スピーカ１５は、携帯電話機１への着信を知らせる音声等を出力する。
【００１９】
第２筐体２０には、その前面２１に、操作部２２が配置される。前面２１とは、第１筐体１０の背面（第１筐体１０の前面１１とは反対側の面）と向かい合う面のことである。
【００２０】
第１筐体１０と第２筐体２０とは、連結部材（不図示）により連結される。そして、第１筐体１０と第２筐体２０とは、連結部材により開閉方向Ｄに沿って移動可能に構成される。
【００２１】
第２筐体２０は、第１筐体１０に対して相対的に移動することにより開状態を形成し（図１（ａ）参照）、又は第１筐体１０と重なるように配置されることにより閉状態を形成する（図１（ｂ）参照）。すなわち、携帯電話機１は、第１筐体１０及び第２筐体２０が平面視して互いに重なるように配置されることにより閉状態を形成し、第２筐体２０が第１筐体１０に対して側方に引き出されることにより（第１筐体１０が第２筐体２０に対して側方に押し出されることにより）開状態を形成する。
【００２２】
つまり、開状態とは、表示部１２及び前面１１が外部に露出する状態をいう。また、閉状態とは、表示部１２が外部に露出し、かつ、前面２１が第１筐体１０により覆われる状態をいう。
【００２３】
操作部２２は、第１筐体１０と第２筐体２０とが相対的に移動して開状態となったときに操作可能となる。操作部２２は、文字が割り当てられる第１キー２２１と、文字及び数字が割り当てられる第２キー２２２と、発信キー２２３と、サイドキー２２４とを備える。
【００２４】
サイドキー２２４は、第２筐体２０の発信キー２２３側の側面（操作部２２を平面視した際における第２筐体２０の左側面）に配置され、開状態及び閉状態のいずれの状態でも外部に露出される。
第２筐体２０の発信キー２２３側の内部には、開閉センサとしてのホール素子３６が配置される。
【００２５】
また、第１筐体１０には、閉状態において、ホール素子３６と実質的に対向する位置に磁石３７が配置される。ホール素子３６と磁石３７とは、開閉検出部３８を構成する。
具体的には、第１筐体１０と第２筐体２０との位置関係に応じて磁石３７から出力される磁気の強度が変動するため、この磁石３７から出力される磁気の強弱をホール素子３６によって検出する。制御部３５（図２参照）は、検出した磁気の強弱に基づいて、携帯電話機１の開状態又は閉状態を判別することにより開状態及び閉状態を検出する。また、開状態及び閉状態の検出は、ホール素子３６によるものに限られない。
【００２６】
次に、図２を参照しながら、携帯電話機１の機能構成について説明する。
図２は、第１実施形態の携帯電話機１の機能構成を示すブロック図である。携帯電話機１は、操作部２２と、マイク１３と、表示部１２と、レシーバ１４と、スピーカ１５と、ドライバＩＣ３０と、通信部３１と、画像処理部３２と、音声処理部３３と、記憶部３４と、制御部３５と、開閉検出部３８とを備える。
【００２７】
通信部３１は、メインアンテナ３１１とＲＦ回路部３１２とを備え、所定の通信先と通信を行う。通信部３１が通信を行う通信先としては、携帯電話機１と電話やメールの送受信を行う外部の端末装置や、携帯電話機１がインターネットの接続を行う外部のＷｅｂサーバ等の外部装置が挙げられる。
【００２８】
メインアンテナ３１１は、所定の使用周波数帯で外部装置と通信を行う。
ＲＦ回路部３１２は、メインアンテナ３１１によって受信した信号を復調処理し、処理後の信号を制御部３５に供給する。また、ＲＦ回路部３１２は、制御部３５から供給された信号を変調処理し、メインアンテナ３１１を介して外部装置（基地局）に送信する。
【００２９】
画像処理部３２は、制御部３５の制御にしたがって、所定の画像処理を行い、処理後の画像データをドライバＩＣ３０に出力する。ドライバＩＣ３０は、画像処理部３２から供給された画像データをフレームメモリ（不図示）に蓄え、所定のタイミングで表示部１２に出力する。
【００３０】
音声処理部３３は、制御部３５の制御にしたがって、ＲＦ回路部３１２から供給された信号に対して所定の音声処理を行い、処理後の信号をレシーバ１４やスピーカ１５に出力する。レシーバ１４及びスピーカ１５は、音声処理部３３から供給された信号を外部に出力する。
【００３１】
また、音声処理部３３は、制御部３５の制御にしたがって、マイク１３から入力された信号を処理し、処理後の信号をＲＦ回路部３１２に出力する。ＲＦ回路部３１２は、音声処理部３３から供給された信号に所定の処理を行い、処理後の信号をメインアンテナ３１１に供給し、メインアンテナ３１１により電波として外部に出力させる。
【００３２】
記憶部３４は、例えば、ワーキングメモリを含み、制御部３５による演算処理に利用される。また、記憶部３４には、携帯電話機１上で動作する様々なアプリケーションが利用するデータやテーブル等が格納されている。例えば、記憶部３４には、アドレス帳、電子メールが記憶されるメールＤＢ、各種辞書等が格納されている。なお、記憶部３４は、着脱可能な外部メモリであってもよい。
【００３３】
制御部３５は、携帯電話機１の全体を制御しており、表示部１２、通信部３１、画像処理部３２及び音声処理部３３に対して所定の制御を行う。制御部３５の具体的な処理については後述する。
【００３４】
開閉検出部３８は、上述したように、携帯電話機１（第１筐体１０及び第２筐体２０）の開状態及び閉状態を検出し、検出した開状態及び閉状態を制御部３５に送信する。これにより、制御部３５は、携帯電話機１の開状態及び閉状態を検出することができる。
【００３５】
このように構成される携帯電話機１は、表示部１２に初期画面が表示される場合において、操作されるキーに割り当てられる記号に応じて、ユーザの意思を反映した記号を表示させる機能を有する。
【００３６】
図３は、記憶部３４に記憶されるアドレス帳の具体例を示す図である。図３に示すように、アドレス帳には、登録番号と、名称（性、性のフリガナ、名、名のフリガナ）と、アドレス情報としての電話番号及びメールアドレスとが一の登録レコードとして対応付けられて記憶される。また、アドレス帳は、一又は複数の登録レコードにより構成される。
【００３７】
次に、第１実施形態の携帯電話機１の制御部３５による動作について説明する。
図１に示すように、操作部２２は、文字が割り当てられ、数字が割り当てられない１又は複数の第１キー２２１と、文字及び数字が割り当てられる第２キー２２２とを含んで構成される。第１キー２２１及び第２キー２２２として、例えば、ＱＷＥＲＴＹ配列キーが挙げられる。なお、文字及び数字が割り当てられるキーは、図１に示す構成に限定されず、他の構成であってもよい。
【００３８】
図４は、第１実施形態の制御部３５の動作により、表示部１２の表示内容の変化について示す図である。
表示部１２は、操作部２２の操作に応じて文字及び数字の少なくとも一方を表示し、文字が表示される第１表示領域４１と、数字が表示される第２表示領域４２の少なくとも一方を含む。初期画面４０（待ち受け画面）が表示部１２に表示されているときに（図４（ａ）参照）、第２キー２２２が押下される場合、表示部１２の表示領域は、文字が表示される第１表示領域４１と、数字が表示される第２表示領域４２とに分割される（図４（ｂ）参照）。
【００３９】
第２表示領域４２に表示された数字の記号列は電話番号となる。したがって、第２表示領域４２に電話番号が表示された状態で、発信キー２２３が押下された場合、携帯電話機１は、発呼を行うことが可能となる。
【００４０】
なお、文字は、英字、英字が変換されたひらがなやカタカナや漢字等である。また数字は、数字の他に、例えば、「＃（シャープ）」、「＊（アスタリスク）」、「−（ハイフン）」及び「Ｐ（ポーズ）」等の電話発信に利用される記号を含む。
【００４１】
ここで、第１実施形態の携帯電話機１において、制御部３５は、表示部１２及び第１キー２２１、第２キー２２２並びに発信キー２２３が外部に露出する開状態において、第１キー２２１、第２キー２２２及び発信キー２２３のいずれかにより文字列が入力され、第１筐体１０及び第２筐体２０を開状態から、表示部１２が外部に露出し、かつ、第１キー２２１、第２キー２２２及び発信キー２２３が第１筐体１０により覆われる閉状態に遷移した場合、入力された文字列に基づいて検索対象に対する検索を実行し、実行された検索の結果を表示部１２に表示させる。
【００４２】
これにより、携帯電話機１は、第１筐体１０及び第２筐体２０を開状態から閉状態へ遷移させることに応じて、入力された文字列に基づく検索を実行するため、入力された文字列に基づく検索を容易に実行することができる。
【００４３】
また、制御部３５は、一旦、第１筐体１０及び第２筐体２０を開状態から閉状態へ遷移した後に、期間Ｔ１内に第１筐体１０及び第２筐体２０を閉状態から開状態へ再度遷移された場合には、検索対象に対する検索の実行を中止し、図４（ｂ）に示す文字列及び数字列を入力する画面を表示部１２に表示させてもよい。
【００４４】
また、検索対象としては、例えば、アドレス帳（名称検索、グループ検索）、履歴、Ｗｅｂ（インターネット）、電子メール（以下、単に「メール」という）、スケジュール、辞書、乗り換え案内等を用いることができる。ここで、アドレス帳の検索は、入力された文字列に基づいてアドレス帳に記憶された情報の検索を実行する処理である。例えば、アドレス帳に記憶された情報として、アドレス帳に登録された名称やグループが挙げられる。また、履歴の検索は、入力された文字列に基づいて着信履歴、発信履歴、メール受信履歴、メール送信履歴等に記憶された情報の検索を実行する処理である。また、Ｗｅｂの検索は、制御部３５によりＷｅｂ検索を行うアプリケーションを起動し、起動したアプリケーションにより入力された文字列に基づいてＷｅｂに対しての検索を実行する処理である。
【００４５】
また、メールの検索は、入力された文字列に基づいて、記憶部３４におけるメールデータベース（メールＤＢ）に記憶されたメールに対しての検索を実行する処理である。また、辞書の検索は、入力された文字列に基づいて、記憶部３４における辞書に記憶された項目に対しての検索を実行する処理である。また、スケジュールの検索は、入力された文字列に基づいてスケジュールに記憶された情報の検索を実行する処理である。また、乗り換え案内の検索は、例えば、携帯電話機１の現在位置を、ＧＰＳ情報を受信する機能を用いて検出する。そして、検出した携帯電話機１の現在位置から入力された文字列への交通手段及び経路についての検索を実行する処理である。
【００４６】
また、携帯電話機１は、第２筐体２０の側面に配置され、閉状態において外部に露出するサイドキー２２４を備える。そして、制御部３５は、表示部１２に検索の結果として表示される一又は複数の項目のうち、一つの項目をサイドキー２２４の操作に応じて選択する。ここで、検索の結果として表示される項目が一つの場合には、例えば、一つの項目が選択された（カーソルが合っている）状態でサイドキー２２４を短押し（例えば、サイドキー２２４を押下する時間が１秒未満）すると、選択された項目が確定される。また、検索の結果として表示される項目が複数の場合には、例えば、複数の項目のうち、一つの項目がカーソルで選択された（カーソルが合っている）状態でサイドキー２２４を長押し（例えば、サイドキー２２４を押下する時間が１秒以上）すると、カーソルが他の項目に移動し、他の項目（登録レコード）が選択される。さらに、一つの項目が選択された（カーソルが合っている）状態でサイドキー２２４を短押しすると、選択された項目が確定される。
【００４７】
これにより、携帯電話機１は、第１筐体１０及び第２筐体２０が閉状態となり、第１キー２２１、第２キー２２２及び発信キー２２３が外部に露出していない状態においてもサイドキー２２４により表示部１２に表示された検索の結果を選択できるため、検索の結果の選択を容易に行うことができる。
【００４８】
具体的には、制御部３５は、表示部１２及び第１キー２２１、第２キー２２２並びに発信キー２２３が外部に露出する開状態において、第１キー２２１、第２キー２２２及び発信キー２２３のいずれかにより文字列及び数字列が入力され、第１筐体１０及び第２筐体２０を開状態（図１（ａ）参照）から、表示部１２が外部に露出し、かつ、第１キー２２１、第２キー２２２及び発信キー２２３が第１筐体１０により覆われる閉状態（図１（ｂ）参照）に遷移した場合、入力された文字列に基づいて検索対象に対する検索としてアドレス帳の中から名称に対する検索を実行する。そして、制御部３５は、この名称が検索できた場合には、検索の結果を表示部１２に表示させた（図４（ｃ）又は図４（ｄ）参照）後に、この名称に対応付けられたアドレス情報に基づいて発呼を行う。
【００４９】
これにより、携帯電話機１は、第１筐体１０及び第２筐体２０を開状態から閉状態へ遷移させることに応じて、入力された文字列に基づいて検索対象に対する検索としてアドレス帳の中から名称に対する検索を実行し、検索された名称に対応付けられたアドレス情報に基づいて発呼を行う。したがって、携帯電話機１は、入力された文字列に基づくアドレス帳検索、及びアドレス情報に基づく発呼を容易に行うことができる。
【００５０】
ここで、制御部３５によるアドレス帳の検索においては、検索のキーワードとして、カタカナ、ひらがな及び漢字をいずれかを用いることができる。また、制御部３５は、検索を実行する際に、入力操作部により入力された文字列の一部又は全部がアドレス帳に記憶されている名称と一致するものを検索する。
【００５１】
例えば、図４（ｂ）に示すように、制御部３５は、入力された文字列「ささざわ」の全部がアドレス帳に記憶されている名称と一致するものが検索された場合には、検索の結果として、図４（ｃ）に示すように、検索された名称「ささざわ」及びこの名称「ささざわ」に対応付けられたアドレス情報である電話番号「０９０ＸＸＸＸＸＸＸＸ」を表示部１２の表示領域４４に表示した後に、表示された電話番号に基づいて発呼を行う。
【００５２】
また、制御部３５は、入力された文字列「ささざわ」の一部がアドレス帳に記憶されている名称と一致するものが検索された場合（図４（ｄ）の表示領域４４に示す「ささざき」、「ささき」、「さわい」）には、検索された名称「ささざき」、「ささき」、「さわい」に対応付けられたアドレス情報である電話番号それぞれを表示部１２に表示する。
【００５３】
制御部３５は、表示部１２に検索の結果として表示される複数の電話番号のうち一つの電話番号をサイドキー２２４の操作に応じて選択する。そして、制御部３５は、選択された電話番号が確定される（例えば、サイドキー２２４の短押し）と、確定された電話番号に基づいて発呼を行う。
【００５４】
また、制御部３５は、検索を実行した結果、文字列に対応した名称が含まれる登録レコードが複数検索された場合には、これらの検索された複数の登録レコードを表示部１２に表示させる。制御部３５は、表示部１２に検索の結果として表示される複数の登録レコードのうち一つの登録レコードをサイドキー２２４の操作に応じて選択する。そして、制御部３５は、選択された一つの登録レコードに含まれる電話番号が確定される（例えば、サイドキー２２４の短押し）と、確定された電話番号に基づいて発呼を行う。
【００５５】
ここで、例えば、複数の登録レコードのうち、一つ登録レコードがカーソルで選択された（カーソルがあっている）状態でサイドキー２２４を長押しすると、カーソルが他の登録レコードに移動し、他の登録レコードが選択される。
【００５６】
制御部３５は、第１筐体１０及び第２筐体２０が開状態であり、初期画面（待ち受け画面）を表示部１２に表示させている状態において、入力操作部により文字列及び数字列が入力され、第１筐体１０及び第２筐体２０を開状態から閉状態に遷移した場合、入力された数字列とアドレス帳に記憶されている登録番号とが一致するか否か判定する。そして、制御部３５は、入力された数字列とアドレス帳に記憶されている登録番号とが一致すると判定した場合には、この登録番号に対応付けられているアドレス情報に基づいて発呼を行う。
【００５７】
これにより、携帯電話機１は、検索を実行した結果、入力された数字列に対応する登録番号に対応付けられたアドレス情報に基づいて発呼を行うことができる。
【００５８】
例えば、制御部３５は、入力された数字列が「０１４」である場合、入力された数字列「０１４」とアドレス帳に記憶されている登録番号とが一致するか否か判定する。そして、制御部３５は、入力された数字列「０１４」とアドレス帳に記憶されている登録番号とが一致すると判定した場合には、この登録番号「０１４」に対応付けられたアドレス情報（例えば、図４（ｃ）では、登録番号「０１４」と対応付けられた電話番号「０９０ＸＸＸＸＸＸＸＸ」）に基づいて発呼を行う。なお、登録番号は、登録レコードそれぞれに固有の番号が割り当てられている。
【００５９】
また、入力された文字列に基づいて検索を実行した結果、名称が検索されなかった場合には、制御部３５は、第１筐体１０及び第２筐体２０が開状態であり、初期画面（待ち受け画面）を表示部１２に表示させている状態において、操作部２２の文字及び数字が割り当てられているキーである第１キー２２１又は第２キー２２２が操作されて文字列及び数字列が共に入力され、第１筐体１０及び第２筐体２０を開状態から閉状態に遷移した場合、入力された文字列に基づいて検索対象に対する検索としてアドレス帳の中から名称に対する検索を実行し、名称が検索できなかった場合には、入力された数字列（例えば、図４（ｄ）の表示領域４５では、数字列「５４５４７４２４」）に基づいて発呼を行う。つまり、制御部３５は、名称が検索できなかった場合には、入力された数字列を電話番号として確定し、確定された電話番号に基づいて発呼を行う。
【００６０】
これにより、携帯電話機１は、入力された文字列に基づいてアドレス帳の中から名称に対する検索を実行し、名称が検索できなかった場合に、入力された数字列に基づいて発呼を行うため、文字列及び数字列が共に入力される機能を有効に活用することができる。
【００６１】
次に、第１実施形態の携帯電話機１において、制御部３５による処理について説明する。図５は、制御部３５による処理について示すフローチャートである。ここで、図５に示すフローチャートでは、検索対象として、アドレス帳を用いた場合について説明する。
【００６２】
ステップＳ１において、制御部３５は、第１筐体１０及び第２筐体２０が開状態であり、待ち受け画面である初期画面４０が表示部１２に表示される状態において、第１キー２２１、第２キー２２２及び発信キー２２３による文字又は数字の入力を受け付ける。これにより、携帯電話機１には、第１キー２２１、第２キー２２２及び発信キー２２３により第１表示領域４１に文字列が表示され、第２表示領域４２に数字列が表示される（図４（ｂ）参照）。
【００６３】
ステップＳ２において、制御部３５は、文字列及び数字列が入力されてから期間Ｔ１内に、開閉検出部３８により開状態から閉状態に遷移したか否かを判定する。期間Ｔ１内に開状態から閉状態に遷移した場合（Ｙｅｓ）には、ステップＳ３へ移る。一方、期間Ｔ１内に開状態から閉状態に遷移しなかった場合（Ｎｏ）には、ステップＳ１へ移る。
【００６４】
ステップＳ３において、制御部３５は、ステップＳ２において第１筐体１０及び第２筐体２０が閉状態に遷移してから期間Ｔ２内に閉状態から開状態に遷移したか否かを判定する。期間Ｔ２内に閉状態から開状態に遷移した場合（Ｙｅｓ）には、ステップＳ１へ移る。一方、期間Ｔ２内に閉状態から開状態に遷移しなかった場合（Ｎｏ）には、ステップＳ４へ移る。
【００６５】
ステップＳ４において、制御部３５は、ステップＳ１において入力された文字列に基づいて検索対象に対する検索としてアドレス帳の中から名称に対する検索を実行する。
【００６６】
ステップＳ５において、制御部３５は、検索を実行した結果、文字列の一部又は全部がアドレス帳に記憶された名称と一致するか否かを判定する。文字列の一部又は全部がアドレス帳に記憶された名称と一致する場合（Ｙｅｓ）には、ステップＳ６に移る。一方、文字列の一部又は全部がアドレス帳に記憶された名称と一致しない場合（Ｎｏ）には、ステップＳ９に移る。
【００６７】
ステップＳ６において、制御部３５は、検索を実行した結果である名称に対応付けられたアドレス情報を表示部１２に表示する。
【００６８】
ステップＳ７において、制御部３５は、表示部１２に検索の結果として表示される一又は複数のアドレス情報のうち、一つのアドレス情報をサイドキー２２４の操作に応じて選択する。そして、制御部３５は、一つのアドレス情報が選択された（カーソルがあっている）状態でサイドキー２２４を短押しすると、選択されたアドレス情報に含まれる電話番号が確定される。
【００６９】
ステップＳ８において、制御部３５は、確定された電話番号に基づいて、発呼を行う。
ステップＳ９において、制御部３５は、入力された数字列とアドレス帳に記憶されている登録番号とが一致するか否か判定する。入力された数字列とアドレス帳に記憶されている登録番号とが一致する場合（Ｙｅｓ）には、その結果を表示し（ステップＳ６）、登録された電話番号に対応付けられた電話番号を確定し（ステップＳ７）、ステップＳ８へ移る。一方、入力された数字列とアドレス帳に記憶されている登録番号とが一致しない場合（Ｎｏ）には、ステップＳ１０へ移る。
【００７０】
ステップＳ１０において、制御部３５は、入力された数字列を電話番号として確定し、確定された電話番号に基づいて発呼を行う。
【００７１】
＜第２実施形態＞
次に、本発明の携帯電話機１の第２実施形態について説明する。第２実施形態については、主として、第１実施形態とは異なる点を説明し、第１実施形態と同様の構成について同一符号を付し、説明を省略する。第２実施形態について特に説明しない点については、第１実施形態についての説明が適宜適用される。
【００７２】
第２実施形態の携帯電話機１ａにおいて、制御部３５により検索される検索対象は、複数の検索対象で構成される点、及び検索設定部３５１を備える点が第１実施形態とは主として異なる。
【００７３】
第２実施形態の携帯電話機１ａにおいて、制御部３５により検索される検索対象は、複数の検索対象で構成される。具体的には、検索対象として、アドレス帳検索だけでなく、Ｗｅｂ（インターネット）、メール、各種辞書、乗り換え案内等の複数の検索対象が用いられる。
【００７４】
図６は、第２実施形態の携帯電話機１ａの機能構成を示すブロック図である。
第２実施形態の携帯電話機１ａにおいて、制御部３５は、検索設定部３５１を備える。なお、第２実施形態の携帯電話機１ａにおいて、他の機能構成は、第１実施形態の携帯電話機１の機能構成と同様であるため、説明を省略する。
【００７５】
検索設定部３５１は、上述した複数の検索対象について優先順位を設定可能に構成される。具体的には、検索設定部３５１は、ユーザによる操作部２２の操作を受け付けて、複数の検索対象それぞれの優先順位を設定し、設定された優先順位を記憶部３４に記憶する。優先順位は、例えば、アドレス帳→Ｗｅｂ検索→辞書検索→メール検索、の順に設定することができる。
【００７６】
制御部３５は、検索設定部３５１により設定された優先順位及び第１キー２２１、第２キー２２２及び発信キー２２３により入力された文字列に基づいて複数の検索対象のうち一の検索対象に対して検索を実行する。
【００７７】
そして、制御部３５は、一の検索対象において文字列が検索できなかった場合に、検索設定部３５１により設定された優先順位及び第１キー２２１、第２キー２２２及び発信キー２２３により入力された文字列に基づいて複数の検索対象のうち他の検索対象に対して検索を実行するように制御してもよい。
【００７８】
これにより、携帯電話機１ａは、複数の検索対象に対して優先順位を設定し、設定された優先順位及び入力された文字列に基づいて検索を実行する。したがって、携帯電話機１ａは、複数の検索対象に対して効率的に検索を実行することができる。
【００７９】
ここで、第２実施形態の携帯電話機１の具体的な処理について説明する。図７は、第２実施形態の携帯電話機１の具体的な処理について示すフローチャートである。
なお、ステップＳ１１〜ステップＳ１３は、第１実施形態のステップＳ１〜Ｓ３の処理と同様の処理である。
【００８０】
ステップＳ１１において、制御部３５は、第１筐体１０及び第２筐体２０が開状態であり、待ち受け画面である初期画面４０が表示部１２に表示される状態において、第１キー２２１、第２キー２２２及び発信キー２２３による文字又は数字の入力を受け付ける。
【００８１】
ステップＳ１２において、制御部３５は、文字列及び数字列が入力されてから期間Ｔ１内に、開閉検出部３８により開状態から閉状態に遷移したか否かを判定する。期間Ｔ１内に開状態から閉状態に遷移した場合（Ｙｅｓ）には、ステップＳ１３へ移る。一方、期間Ｔ１内に開状態から閉状態に遷移しなかった場合（Ｎｏ）には、ステップＳ１１へ移る。
【００８２】
ステップＳ１３において、制御部３５は、ステップＳ１２において第１筐体１０及び第２筐体２０が閉状態に遷移してから期間Ｔ２内に閉状態から開状態に遷移したか否かを判定する。期間Ｔ２内に閉状態から開状態に遷移した場合（Ｙｅｓ）には、ステップＳ１１へ移る。一方、期間Ｔ２内に閉状態から開状態に遷移しなかった場合（Ｎｏ）には、ステップＳ１４へ移る。
【００８３】
ステップＳ１４において、制御部３５は、ステップＳ１１において入力された文字列に基づいて、検索対象に対する検索を実行する。なお、ステップＳ１４における具体的な処理については、後述する。
【００８４】
ステップＳ１５において、制御部３５は、検索を実行した結果を表示部１２に表示する。具体的には、制御部３５は、アドレス帳検索を行った場合には、第１実施形態と同様に、文字列の一部又は全部と一致するアドレス情報を表示する。また、制御部３５は、メール検索を行った場合には、文字列の一部又は全部と一致するメールを表示する。また、制御部３５は、Ｗｅｂ検索を行った場合には、文字列の一部又は全部と一致するＷｅｂページを表示する。
【００８５】
ステップＳ１６において、制御部３５は、表示部１２に検索の結果として表示される一又は項目のうち、一つの項目をサイドキー２２４の操作に応じて選択する。そして、制御部３５は、一つの項目が選択された（カーソルが合っている）状態でサイドキー２２４を短押しすると、選択された項目が確定される。
【００８６】
ステップＳ１７において、制御部３５は、確定された項目に対して検索対象に応じた処理を実行する。具体的には、制御部３５は、検索対象がアドレス帳の場合には、選択されたアドレス情報が確定され、確定されたアドレス情報に基づいて発呼を行う。また、制御部３５は、検索対象がＷｅｂ検索の場合には、選択されたＷｅｂページが確定され、確定されたＷｅｂページを表示する。また、制御部３５は、検索対象がメール検索の場合には、選択されたメールが確定され、確定されたメールの内容を表示する。
【００８７】
次に、図７のステップＳ１４における検索処理について説明する。図８は、ステップＳ１４における検索処理について示すフローチャートである。なお、図８に示すフローチャートでは、検索対象として、アドレス帳検索、メール検索及びＷｅｂ検索が用いられる。
【００８８】
ステップＳ２１において、制御部３５は、検索設定部３５１により設定された優先順位のうち最も高い優先順位がどの検索対象であるか判定する。最も高い優先順位がアドレス帳検索である場合には、ステップＳ２２へ移る。また、最も高い優先順位がメール検索である場合には、ステップＳ２３へ移る。また、最も高い優先順位がＷｅｂ検索である場合には、ステップＳ２４へ移る。
【００８９】
ステップＳ２２において、制御部３５は、ステップＳ１１において入力された文字列に基づいてアドレス帳検索を行う。
ステップＳ２３において、制御部３５は、ステップＳ１１において入力された文字列に基づいてメール検索を行う。
ステップＳ２４において、制御部３５は、ステップＳ１１において入力された文字列に基づいてＷｅｂ検索を行う。そして、ステップＳ２２〜ステップＳ２４のいずれかの処理を行った後、図７に示すステップＳ１５に移る。
【００９０】
また、制御部３５は、図８に示す検索処理に代えて図９に示す検索処理を行ってもよい。図９は、ステップＳ１４における検索処理の他の例について示すフローチャートである。なお、図９に示すフローチャートでは、検索対象として、アドレス帳検索、メール検索及びＷｅｂ検索が用いられる。また、優先順位は、検索設定部３５１によりアドレス帳→メール検索→Ｗｅｂ検索の順に設定されているものとする。
【００９１】
ステップＳ３１において、制御部３５は、検索設定部３５１により設定された優先順位及び第１キー２２１、第２キー２２２並びに発信キー２２３により入力された文字列に基づいてアドレス帳に対して検索を実行する。
【００９２】
ステップＳ３２において、制御部３５は、検索を実行した結果、文字列の一部又は全部がアドレス帳に記憶された名称と一致するか否かを判定する。文字列の一部又は全部がアドレス帳に記憶された名称と一致する場合（Ｙｅｓ）には、図７に示すステップＳ１５に移る。一方、文字列の一部又は全部がアドレス帳に記憶された名称と一致しない場合（Ｎｏ）には、ステップＳ３３に移る。
【００９３】
ステップＳ３３において、制御部３５は、検索設定部３５１により設定された優先順位及び第１キー２２１、第２キー２２２並びに発信キー２２３により入力された文字列に基づいて、記憶部３４において電子メールが記憶されるメールＤＢに対して検索を実行する。
【００９４】
ステップＳ３４において、制御部３５は、検索を実行した結果、文字列の一部又は全部がメールＤＢに記憶されたメールと一致するか否かを判定する。文字列の一部又は全部がメールＤＢに記憶されたメールと一致する場合（Ｙｅｓ）には、図７に示すステップＳ１５に移る。一方、文字列の一部又は全部がアドレス帳に記憶された名称と一致しない場合（Ｎｏ）には、ステップＳ３５に移る。
【００９５】
ステップＳ３５において、制御部３５は、検索設定部３５１により設定された優先順位及び第１キー２２１、第２キー２２２並びに発信キー２２３により入力された文字列に基づいて、Ｗｅｂ検索を行うアプリケーションを起動し、起動したアプリケーションによりＷｅｂに対しての検索を実行する。
【００９６】
ステップＳ３６において、制御部３５は、検索を実行した結果、文字列の一部又は全部と一致するＷｅｂページが存在するか否かを判定する。文字列の一部又は全部と一致するＷｅｂページが存在する場合（Ｙｅｓ）には、図７に示すステップＳ１５に移る。一方、文字列の一部又は全部と一致するＷｅｂページが存在しない場合（Ｎｏ）には、ステップＳ３７に移る。
【００９７】
ステップＳ３７において、制御部３５は、検索した結果、検索対象において文字列の一部又は全部と一致せず、検索の結果が存在しないことを示す内容を表示部１２に表示する。
【００９８】
以上、本発明の実施形態について説明したが、本発明は上述した実施形態に制限されるものではなく、適宜変更が可能である。例えば、上述した実施形態では、制御部３５は、確定した電話番号に対して自動的に発呼を行ったが、本発明はこれに限らない。例えば、制御部３５は、確定した電話番号を確認する確認画面を表示部１２に表示させ、確認画面に表示された電話番号が確定された場合に、発呼を行ってもよい。
【符号の説明】
【００９９】
１，１ａ  携帯電話機
１２  表示部
２２  操作部（入力操作部）
３５  制御部
２２４  サイドキー（選択操作部）
３５１  検索設定部
【図１】
2011097236.tif 000003
【図２】
2011097236.tif 000004
【図３】
2011097236.tif 000005
【図４】
2011097236.tif 000006
【図５】
2011097236.tif 000007
【図６】
2011097236.tif 000008
【図７】
2011097236.tif 000009
【図８】
2011097236.tif 000010
【図９】
2011097236.tif 000011